(57)【要約】【課題】回転ドラムの回転を停止することなく柱状物を連続的に選別するとともに、規定長以下の柱状物を簡便に取り出すことができる柱状物の選別装置を提供する。【解決手段】内周面に凹部が設けられ回転自在にかつ略水平に横設されており規定長以下の長さの柱状物を凹部に嵌めて回転によってすくい上げる回転ドラム２と、回転ドラム２を回転させるドラム回転手段３と、回転ドラム２内に設置されており上部にはすくい上げられて落下する柱状物を受け取る開口２２が設けられ、底部から柱状物を排出する受部４と、受部４から排出される柱状物を回転ドラム２外に搬出するベルトコンベア５とを備えた。【選択図】図１
2006231226.tif 000002
【特許請求の範囲】
【請求項１】
内周面に凹部が設けられ回転自在にかつ略水平に横設されており、内部に投入された柱状物のうち、規定長以下の長さの柱状物を前記凹部に嵌めて回転によってすくい上げる回転ドラムと、
この回転ドラムを回転させるドラム回転手段と、
前記回転ドラム内に設置されており、上部にはすくい上げられて落下する柱状物を受け取る開口が設けられ、底部に柱状物を排出する排出口が設けられた受部と、
この受部から排出される柱状物を回転ドラム外に搬出するベルトコンベアとを備えていることを特徴とする柱状物の選別装置。
【発明の詳細な説明】
【技術分野】
【０００１】
本発明は、規定長以下の長さの柱状物を選別するのに好適な、柱状物の選別装置に関する。
【背景技術】
【０００２】
柱状に成形された柱状の触媒は、例えば不飽和アルデヒド、不飽和カルボン酸を合成するための触媒、イソブチレン、メタクロレインを製造するための触媒などとして用いられている。また、柱状に成形された柱状の触媒担体は、通常その上に触媒成分を担持させて使用される。
【０００３】
かかる柱状触媒または柱状触媒担体（以下、これらを柱状触媒類と称する。）のような柱状物は、例えば粉末状の原料を溶剤と混練しながらダイから押し出しつつ、規定の長さで切断する方法や、切断後さらに焼成する方法で製造されている。
【０００４】
かかる柱状物は、長さが規定長以下であることが望ましい。下記特許文献１には、図３に示すように、内周面１２１に特定の大きさの凹部１０３が設けられた回転ドラム１０２内で、規定長以下の長さの柱状物のみをこの凹部１０３によってすくい上げて、回転ドラム１０２内に設置された受部１０４に落下させることによって、規定長以下の長さの柱状物１０１を選別する方法が記載されている。
【０００５】
上記選別方法によれば、規定長以下の柱状物１０１は受部１０４に落下するので、受部１０４に落下した柱状物を取り出すことが必要になる。取り出す方法としては、まず、回転ドラム１０２の回転を停止させて取り出す方法が考えられる。しかし、回転ドラムを停止させるため、柱状物の選別作業を停止しなければならず、柱状物を連続的に選別することができないという問題点がある。一方、回転ドラムの回転を停止せずに取り出す場合は、作業上の問題がある。
【特許文献１】特開２００４−２９０８５１号公報
【発明の開示】
【発明が解決しようとする課題】
【０００６】
本発明の課題は、回転ドラムの回転を停止することなく、規定長以下の柱状物を簡便にかつ連続的に取り出すことができる柱状物の選別装置を提供することにある。
【課題を解決するための手段】
【０００７】
本発明者らは、上記課題を解決すべく鋭意研究を重ねた結果、受部から排出された柱状物をベルトコンベアで搬出することによって、回転ドラムの回転を停止することなく、規定長以下の柱状物を簡便にかつ連続的に取り出すことができることを見出して、本発明を完成させるに至った。
【０００８】
すなわち、本発明の柱状物の選別装置は、内周面に凹部が設けられ回転自在にかつ略水平に横設されており、内部に投入された柱状物のうち、規定長以下の長さの柱状物を前記凹部に嵌めて回転によってすくい上げる回転ドラムと、この回転ドラムを回転させるドラム回転手段と、前記回転ドラム内に設置されており、上部にはすくい上げられて落下する柱状物を受け取る開口が設けられ、底部に柱状物を排出する排出口が設けられた受部と、この受部から排出される柱状物を回転ドラム外に搬出するベルトコンベアとを備えていることを特徴とする。
【発明の効果】
【０００９】
本発明によれば、受部の排出口から排出される柱状物をベルトコンベアで回転ドラム外に搬出する。その結果、回転ドラムの回転を停止することなく、規定長以下の柱状物を簡便かつ連続的に取り出すことができる。
【発明を実施するための最良の形態】
【００１０】
以下、図面を用いて、柱状触媒類の選別装置を例として、本発明の柱状物の選別装置を説明する。この柱状触媒類の選別装置１０は、図１に示すように、回転ドラム２と、ドラム回転手段３と、受部４と、ベルトコンベア５と、柱状触媒類を回転ドラム２内に投入する投入ホッパ２０とを備えている。
【００１１】
回転ドラム２は、内周面２１に、図３に示したような凹部１０３と同様の凹部を有している。この凹部は、凹部１０３と同様に、規定長以下の長さの柱状触媒類をすくいあげるためのものである。この凹部は、内周面２１の全面にわたって多数設けられていることが好ましい。なお、図１〜図２においては、内周面２１の凹部は、便宜上記載を省略している。
【００１２】
上記凹部の径は、柱状触媒類の規定長と等しいか、これよりも僅かに小さい程度、具体的には柱状触媒類の規定長の０．８倍以上１倍以下にすることが好ましい。凹部の径が上記規定長の０．８倍未満の場合は柱状触媒類をすくい上げにくくなり、凹部の径が上記規定長の１倍を超える場合は受部４に規定長を超える長さの柱状触媒類が混入するおそれがあるからである。
【００１３】
凹部の深さは、柱状触媒類の径の０．５倍以上１倍以下程度とすることが好ましい。凹部の深さを柱状触媒類の径よりも大きくした場合、上記規定長を超える長さの柱状触媒類が混入するおそれがある。一方、凹部の深さを柱状触媒類の径の０．５倍よりも小さくした場合は、上記規定長と等しいか、これよりも僅かに小さい長さの柱状触媒類を集めることができなくなるおそれがある。
【００１４】
ドラム回転手段３は、モータＭとシャフト１５と軸受２５とを有し、シャフト１５をモータＭで回転させて、シャフト１５が回転ドラム２を回転させる。モータＭおよびシャフト１５は、例えばＶベルトとプーリーとを用いて接続される。シャフト１５は、回転ドラム２の中心に挿入されており、受部４を挿通して、先端が軸受２５で保持されている。シャフト１５の回転速度は、３０ｒｐｍ以下、好ましくは２〜２５ｒｐｍであるのがよい。
【００１５】
受部４は、回転ドラム２内に設置されており、上部に開口２２を、底部に排出口２３をそれぞれ有している。また、受部４は、シャフト１５によって回転ドラム２内に設置されている。開口２２は、受部４の上部に設けられており、すくい上げられて落下する柱状触媒類を受け取る。開口２２が受け取った柱状触媒類は、受部４の底部に設けられた排出口２３から、排出口の下方に設けられているベルトコンベア５上に排出される。
【００１６】
ベルトコンベア５は、排出口２３の下方から回転ドラム２外にかけて設置されている。このベルトコンベア５は、ベルト３０を、駆動プーリ３１と従動プーリ３２との間に張設したものである。また、ベルトコンベア５の側面には、駆動プーリ３１および従動プーリ３２を支持する側板３３，３３が設けられている。側板３３，３３の上端は、受部４の排出口２３より高く設定され、図２（ａ）に示すように側板３３，３３の上端を受部４の外壁に接触するように構成されている。これにより、排出口２３から排出されない柱状触媒類がベルト３０上に混入するのを防止することができる。このような混入を防止するためには、側板３３，３３の上端を、図２（ｂ）に示すように、受部４の排出口２３より高く設定するとともに、側板３３，３３を排出口２３内に設けて受部４の内壁に接触するように構成してもよく、図２（ｃ）に示すように、側板３３，３３の上端を排出口２３に固定してもよい。なお、ベルトコンベア５の長さに応じて、駆動プーリ３１と従動プーリ３２との間に、ベルト３０を支持するローラを設けてもよい。
【００１７】
本発明で用いることができるベルト３０の種類は、特に限定されないが、例えば、スチールコード、ナイロン帆布、ビニロン帆布、レーヨン帆布、綿帆布などを芯体とし、それら芯体を樹脂またはゴムなどで被覆した、いわゆる平ベルトが使用可能である。
【００１８】
駆動プーリ３１には、モータなどの駆動源（図示せず）が連結されている。本発明において、駆動プーリ３１は、駆動源を取り付ける都合上、回転ドラム２内ではなく、回転ドラム２外（柱状触媒類を搬出して脱荷する側）に設けることが好ましい。従動プーリ３２は、回転ドラム２内に設けられており、ベルトコンベア５の排出口２３側の一端に設けられている。従動プーリ３２は、図１に示すように、柱状触媒類が従動プーリ３２などに挟まるといった不具合を防止するため、開口２２の幅に合わせて、受部４外の柱状触媒類が落下しないまたは落下しにくい場所に設置することが好ましい。ベルトコンベア５は、駆動プーリー３１側で固定部材（図示せず）により保持されていてもよく、あるいは、受部４の下部で側板３３，３３を固定してもよい。
【００１９】
図２（ａ）は、軸受２５側から見た選別装置１０を模式的に示したものである。Ｗ２は受部４の排出口２３の幅を、Ｗ３は受部４の開口２２の幅を、Ｗ７はベルト３０の幅を示している。本発明では、図２（ａ）の構成とした場合は、Ｗ３はＷ２およびＷ７よりも大きくし、Ｗ７はＷ２よりも大きくすることが好ましい。この配置においては、排出口２３から落下する柱状触媒類はすべてベルト３０上に排出され、受部４外の柱状触媒類がベルト３０上に載ることがないようにするため、受部４とベルト３０との間の距離は最小限として、排出口２３の真下にベルト３０を配置することが好ましい。
【００２０】
以上のように構成したため、本発明の選別装置１０では、受部４内に落下した柱状触媒類を、ベルトコンベア５によって確実に搬出することができるので、安全かつ連続的な搬出が可能になる。
【００２１】
本発明の選別装置に適用できる柱状物としては、例えば、(1)不飽和アルデヒド、不飽和カルボン酸を合成するための触媒粉末、イソブチレン、メタクロレインを製造するための触媒粉末などを柱状に形成した柱状触媒、(2)粉末状の触媒担体を柱状に形成した柱状触媒担体、(3)粉末状の乾燥剤を柱状に形成した柱状乾燥剤、(4)粉末状の吸着剤を柱状に形成した柱状吸着剤、(5)粉末飼料を柱状に形成した柱状飼料、(6)粉末状の肥料を柱状に形成した柱状肥料、などが挙げられる。
【図面の簡単な説明】
【００２２】
【図１】本発明の選別装置の一例を示す正面図である。
【図２】本発明の選別装置を、軸受側から見た様子を示す模式図である。
【図３】従来の選別装置を示す模式図である。
【符号の説明】
【００２３】
２  回転ドラム
３  ドラム回転手段
４  受部
５  ベルトコンベア
１０  選別装置
１５  シャフト
２２  開口
２３  排出口
【図１】
2006231226.tif 000003
【図２】
2006231226.tif 000004
【図３】
2006231226.tif 000005